(57)【特許請求の範囲】
【請求項１】
地上面に対し掘り下げて形成された埋立空間に、無機廃棄物を含む盛土材を圧密成形体として埋め立てる最終処分場の底版構造であって、
前記最終処分場の外周に立設された垂直壁と、
前記垂直壁に囲まれた前記最終処分場の底部を閉蓋する底版構造体と
を備え、
前記垂直壁は、下端部を地盤に埋設することによって立設され、内側面を被覆する垂直壁防水ユニットを有し、
前記底版構造体は、前記地盤側から順に、前記地盤上に設けた第１の砕石層と、第１の防水ユニットと、第２の砕石層と、第２の防水ユニットと、保護砂層とで構成され、
前記第１の防水ユニット、前記第２の防水ユニット及び前記垂直壁防水ユニットは、遮水シートと該遮水シートの表面を覆って保護する保護マットとを積層して形成され、
前記第１の砕石層に、地下水を集水して排出する有孔の排水用集水管が設けられ、
前記第２の砕石層に、前記最終処分場の内部の水を集水する有孔の検査用集水管が設けられ、
前記第１の防水ユニットと前記垂直壁防水ユニットとは、前記第１の砕石層と前記第２の砕石層との間で接続され、前記第２の防水ユニットと前記垂直壁防水ユニットとは、前記第２の砕石層と前記保護砂層との間で接続されていることを特徴とする最終処分場の底版構造。
【請求項２】
請求項１に記載の最終処分場の底版構造であって、
前記第１の砕石層は、前記地盤側に突出する凸部を有し、
前記排水用集水管は、前記凸部に設けられていることを特徴とする最終処分場の底版構造。
【請求項３】
請求項１又は請求項２に記載の最終処分場の底版構造であって、
前記第２の砕石層は、複数の層と該複数の層の間に配置された第３の防水ユニットで形成され、
前記第３の防水ユニットは、遮水シートと該遮水シートの表面を覆って保護する保護マットとを積層して形成されていることを特徴とする最終処分場の底版構造。
【請求項４】
請求項１〜請求項３のいずれか１項に記載の最終処分場の底版構造であって、
前記垂直壁は、前記垂直壁防水ユニットの表面を被覆するウレタン層を有し、
前記ウレタン層は、前記垂直壁防水ユニットの表面を被覆するウレタンと前記ウレタンの表面に吹付けられた不燃性の吹付体とで形成されていることを特徴とする最終処分場の底版構造。
【請求項５】
請求項１〜請求項４のいずれか１項に記載の最終処分場の底版構造であって、
前記垂直壁の外側に、該垂直壁を支持するように構成された垂直壁支持体と、
前記垂直壁支持体上に配置された基礎擁壁と、
前記基礎擁壁の上端部で支持され、前記最終処分場の上方全体を覆う屋根部と
を備えていることを特徴とする最終処分場の底版構造。
【発明の詳細な説明】
【技術分野】
【０００１】
本発明は、無機廃棄物を含む盛土材を圧密成形体として埋め立てる最終処分場の底版構造に関する。
【背景技術】
【０００２】
従来、この種の最終処分場の底版構造としては、本願出願人により出願された下記特許文献１に記載のものがある。その最終処分場の底版構造は、最終処分場の底部を遮水シートで覆い、その上下に排水管を設けた構造となっている。
【０００３】
それらの排水管のうち、遮水シートの上側の排水管は、オープン型（屋根のない）最終処分場において、場内に降った雨水を集水するためのものであり、遮水シートの下側の排水管は、最終処分場の内部から雨水を含む保有水が漏水していないことを検証するためのものである。
【先行技術文献】
【特許文献】
【０００４】
【特許文献１】特許第４３１７２６０号公報
【発明の概要】
【発明が解決しようとする課題】
【０００５】
ここで、本願出願人は、さらなる鋭意の試験研究により、最終処分場、特に地下水が多い地域に建設される最終処分場において、最終処分場の内部からの保有水の漏水及び内部への地下水の浸入を防止して、より高いレベルでの安全性能を実現することを検討した。
【０００６】
本発明は以上の点に鑑みてなされたものであり、最終処分場の内部からの保有水の漏水及び内部への地下水の浸入を確実に防止することができる最終処分場の底版構造を提供することを目的とする。
【課題を解決するための手段】
【０００７】
上記課題を達成するために、本発明の最終処分場の底版構造は、地上面に対し掘り下げて形成された埋立空間に、無機廃棄物を含む盛土材を圧密成形体として埋め立てる最終処分場の底版構造であって、最終処分場の外周に立設された垂直壁と、垂直壁に囲まれた最終処分場の底部を閉蓋する底版構造体とを備え、垂直壁は、下端部を地盤に埋設することによって立設され、内側面を被覆する垂直壁防水ユニットを有し、底版構造体は、地盤側から順に、地盤上に設けた第１の砕石層と、第１の防水ユニットと、第２の砕石層と、第２の防水ユニットと、保護砂層とで構成され、第１の防水ユニット、第２の防水ユニット及び垂直壁防水ユニットは、遮水シートとその遮水シートの表面を覆って保護する保護マットとを積層して形成され、第１の砕石層に、地下水を集水して排出する有孔の排水用集水管が設けられ、第２の砕石層に、最終処分場の内部の水を集水する有孔の検査用集水管が設けられ、第１の防水ユニットと垂直壁防水ユニットとは、第１の砕石層と第２の砕石層との間で接続され、第２の防水ユニットと垂直壁防水ユニットとは、第２の砕石層と保護砂層との間で接続されていることを特徴とする。
【０００８】
このように、本発明の最終処分場の底版構造では、防水ユニットは遮水シートとその遮水シートを保護する保護マットとで形成されており、砕石層や保護砂層で防水ユニットに加わる荷重を分散、低減しているので、遮水シートが破損することがない。また、第１の防水ユニットと垂直壁防水ユニットとは、第１の砕石層と第２の砕石層との間で接続され、第２の防水ユニットと垂直壁防水ユニットとは、第２の砕石層と保護砂層との間で接続されている。そのため、防水ユニットによって、確実に最終処分場の内部からの保有水の漏水や内部への地下水の浸入が防止される。
【０００９】
また、第１の防水ユニットの上側に、検査用集水管を備えている。そのため、この検査用集水管を監視することにより、最終処分場の内部からの保有水の漏水の有無を確実に判定することができる。
【００１０】
さらに、第１の防水ユニットの下側に、地下水を排出するための排水用集水管を備えている。そのため、この排水用集水管から地下水を排出することにより、底版構造の下側から最終処分場の内部への地下水の浸入を防止することができる。
【００１１】
したがって、本発明の最終処分場の底版構造によれば、地下水が多い地域に建設される最終処分場においても、内部からの保有水の漏水及び内部への地下水の浸入を確実に防止することができる。
【００１２】
また、本発明の最終処分場の底版構造においては、第１の砕石層は、地盤側に突出する凸部を有し、排水用集水管は、凸部に設けられていることが好ましい。
【００１３】
このように、第１の砕石層が地盤側に突出する凸部を有する、すなわち、地盤上に凹部を形成すれば、地盤側から湧き上った地下水は、地盤上にある第１の砕石層の内部を通って、その凹部に集中し、その凹部に配置された排水用集水管から排出されることになる。その結果、さらに容易に地下水が排出されることになるので、最終処分場の内部への地下水の浸入を、さらに確実に防止することができる。
【００１４】
また、本発明の最終処分場の底版構造においては、第２の砕石層は、複数の層とその複数の層の間に配置された第３の防水ユニットで形成され、第３の防水ユニットは、遮水シートとその遮水シートの表面を覆って保護する保護マットとを積層して形成されていることが好ましい。
【００１５】
このように、第２の砕石層を複数の層で形成し、その複数の層の間に第３の防水ユニットを配置するようにすれば、仮に第１の防水ユニットや第２の防水ユニットが破損した場合であっても、第３の防水ユニットにより、最終処分場の内部からの保有水の漏水及び内部への地下水の浸入を防止することができる。
【００１６】
また、本発明の最終処分場の底版構造においては、垂直壁は、垂直壁防水ユニットの表面を被覆するウレタン層を有し、ウレタン層は、垂直壁防水ユニットの表面を被覆するウレタンとウレタンの表面に吹付けられた不燃性の吹付体とで形成されていることが好ましい。
【００１７】
ウレタン層を垂直壁防水ユニットの表面に被覆すれば、ウレタン層がバッファーとなるので、垂直壁防水ユニットの損傷を防ぐことができる。また、垂直壁防水ユニットの表面側が硬化した状態になるので、垂直壁防水ユニットを構成する保護マットや遮水シートが損傷を受けた場合には、その損傷部位が部分的に裂けることになる。そのため、損傷部位を視覚的に特定することができ、迅速な補修処置等も可能になる。
【００１９】
その結果、最終処分場の内部からの保有水の漏水及び内部への地下水の浸入を、さらに確実に防止することができる。
【００２０】
また、本発明の最終処分場の底版構造においては、垂直壁の外側に、その垂直壁を支持するように構成された垂直壁支持体と、垂直壁支持体上に配置された基礎擁壁と、基礎擁壁の上端部で支持され、最終処分場の上方全体を覆う屋根部とを備えていることが好ましい。
【００２１】
このように、最終処分場を屋根部を有するクローズ型最終処分場にすれば、最終処分場の直上からの雨水の浸入がなくなるので、最終処分場の内部からの保有水の漏水を、さらに確実に防止することができる。
【図面の簡単な説明】
【００２２】
【図１】最終処分場の構成を示す断面図。
【図２】図１の最終処分場における底版構造体、垂直壁及び垂直壁支持体の構成を示す断面図。
【図３】図１の最終処分場における排出用集水管の配置を示す模式図。
【図４】図１の最終処分場における検査用集水管の配置を示す模式図。
【図５】図１の最終処分場における周辺部防水構造体、垂直壁及び垂直壁支持体の構成を示す断面図。
【発明を実施するための形態】
【００２３】
以下、図１〜図５を参照して、本発明の最終処分場の底版構造を備えた最終処分場の実施形態を説明する。
【００２４】
本実施形態の最終処分場は、図１に示すように、地上面ＧＬに対し掘り下げて、地盤ＧＲ上に、無機廃棄物を含む盛土材を圧密成形体として埋め立てるための埋立空間を形成している。
【００２５】
その最終処分場は、その外周に立設された垂直壁１０と、垂直壁１０に囲まれた最終処分場の底部を閉蓋する底版構造体２０と、垂直壁１０を支持する垂直壁支持体３０と、最終処分場の建屋の周辺部に設けられた周辺部防水構造体４０と、埋立空間の上方全体を覆う屋根部５０と、最終処分場の外部から内部への進入路６０とを備える。
【００２６】
まず、最終処分場の外周に立設された垂直壁１０について説明する。垂直壁１０は、地盤ＧＲに多数立設された鋼材（例えば、Ｈ鋼）と、それらの鋼材の間を埋めるコンクリートとで構成された鉄筋コンクリート製の構造物である。なお、垂直壁１０は、このような鉄筋コンクリート製の構造物の他、ワイヤーを格子状にしたもの等で構成された構造物を用いてもよい。
【００２７】
また、垂直壁１０は、図２に示すように、その内側面を被覆する垂直壁防水ユニット１１と、その垂直壁防水ユニット１１の表面を被覆するウレタン層１２とを有している。
【００２８】
垂直壁防水ユニット１１は、保護マット１１ａ及びその保護マット１１ａにより保護された遮水シート１１ｂを２セット積層して形成されている。
【００２９】
ウレタン層１２は、垂直壁防水ユニット１１の表面に吹き付けられたウレタン１２ａ、及び、そのウレタン１２ａの表面に吹き付けられた不燃性の吹付材１２ｂで形成されている。
【００３０】
このように、ウレタン層１２が垂直壁防水ユニット１１の表面を被覆しているので、ウレタン層１２がバッファーとなり、垂直壁防水ユニット１１の損傷を防ぐことができる。また、垂直壁防水ユニット１１の表面側が硬化した状態になり、垂直壁防水ユニット１１を形成する保護マット１１ａや遮水シート１１ｂが損傷を受けた場合には、その損傷部位が部分的に裂けることになる。そのため、損傷部位を視覚的に特定することができ、迅速な補修処置等が可能になっている。
【００３１】
次に、最終処分場の底部を閉蓋する底版構造体２０について説明する。底版構造体２０は、図２に示すように、地盤ＧＲ側から順に、地盤ＧＲ上に設けた第１の砕石層２１と、第１の防水ユニット２２と、第２の砕石層２３と、第２の防水ユニット２４と、保護砂層２５とで構成されている。
【００３２】
また、第１の砕石層２１には、地下水を集水して排出する有孔の排水用集水管２６が配設されている。第２の砕石層２３には、最終処分場の内部の水を集水する有孔の検査用集水管２７が配設されている。
【００３３】
第１の砕石層２１は、地盤ＧＲ上に敷設された砕石で形成されている。また、第１の砕石層２１は、排水用集水管２６が配設される位置に、地盤ＧＲ側に突出する凸部２１ａを有している。すなわち、地盤ＧＲは、排水用集水管２６が配設される位置に、凹部が形成されている。
【００３４】
第１の防水ユニット２２は、２枚の保護マット２２ａとそれらの保護マット２２ａに挟まれるように配置することで保護された遮水シート２２ｂとで形成されている。また、第１の防水ユニット２２の端部は、垂直壁１０の内側面を被覆する垂直壁防水ユニット１１の下方の端部と溶着等の処理によって接続され、接続部２８ａを形成している。
【００３５】
第２の砕石層２３は、地盤ＧＲ側から順に、第１層２３ａと区画用防水ユニット２３ｂ（第３の防水ユニット）と第２層２３ｃとを積層して形成されている。第１層２３ａと第２層２３ｃは、砕石を敷設して形成されている。区画用防水ユニット２３ｂは、第１の防水ユニット２２と同様に、遮水シートとそれを保護する保護マットとで形成されている。また、区画用防水ユニット２３ｂの端部は、垂直壁防水ユニット１１に溶着等の処理によって接続され、接続部２８ｂが形成されている。
【００３６】
第２の防水ユニット２４は、第１の防水ユニット２２と同様に、遮水シートとそれを保護する保護マットとで形成されている。また、第２の防水ユニット２４の端部は、垂直壁防水ユニット１１に溶着等の処理によって接続され、接続部２８ｃを形成している。
【００３７】
保護砂層２５は、第２の防水ユニット２４の上、すなわち、最終処分場の底部全体に敷設された保護砂で形成されている。
【００３８】
排水用集水管２６は、図３に示すように、最終処分場が建設される地盤ＧＲ上、すなわち、第１の砕石層２１の中で、網目状に配置されている。地盤ＧＲから湧き上る地下水は、この排水用集水管２６を介して、外周位置に設けられた排水桝２６ａから最終処分場の外部へと排出される。
【００３９】
検査用集水管２７は、図４に示すように、第１の防水ユニット２２上、すなわち、第２の砕石層２３の最下層の第１層２３ａの中で、網目状に配置されている。この検査用集水管２７の外周位置に設けられた検水パイプ２７ａを監視することにより、最終処分場の内部からの保有水の漏水の有無を確実に判定することができる。
【００４０】
このように、底版構造体２０では、防水ユニット２２，２３ｂ，２４が、いずれも砕石層２１，２３ａ，２３ｃや保護砂層２５によって保護されている。
【００４１】
そのため、砕石層２１，２３ａ，２３ｃや保護砂層２５によって、防水ユニット２２，２３ｂ，２４に加わる荷重が分散、低減されるので、通常の場合には、いずれの防水ユニット２２，２３ｂ，２４にも破損が生じることがない。
【００４２】
仮に、最終処分場が建設された地盤の一部に沈下が生じるなどの特別な状況が生じ、いずれかの防水ユニット２２，２３ｂ，２４に破損が生じてしまったような場合であっても、他の防水ユニット２２，２３ｂ，２４によって、最終処分場の内部からの保有水の漏水や内部への地下水の浸入は確実に防止される。
【００４３】
また、底版構造体２０では、第１の防水ユニット２２の地盤ＧＲ側に、第１の砕石層２１が配置されており、その第１の砕石層２１の凸部２１ａ、すなわち、地盤ＧＲの凹部には、排水用集水管２６が配置されている。
【００４４】
そのため、地盤ＧＲ側から湧き上った地下水は、第１の防水ユニット２２によって遮断され、地盤ＧＲ上にある第１の砕石層の内部を通って、凸部２１ａが形成された地盤ＧＲ上の凹部に集中し、その凹部に配置された排水用集水管２６から排出されることになる。
【００４５】
また、底版構造体２０では、底版構造体２０を構成する防水ユニット２２，２３ｂ，２４は、垂直壁防水ユニット１１に溶着等の処理によって接続されている。
【００４６】
そのため、底版構造体２０を構成する防水ユニット２２，２３ｂ，２４と垂直壁防水ユニット１１との間からの水の浸入や漏水は、確実に防止される。
【００４７】
したがって、本実施形態の最終処分場では、このような底版構造体２０を備えた底版構造が形成されていることによって、地下水が多い地域に建設される最終処分場においても、内部からの保有水の漏水及び内部への地下水の浸入を確実に防止することができるようになっている。
【００４８】
次に、垂直壁１０を支持する垂直壁支持体３０について説明する。垂直壁支持体３０は、図１に示すように、垂直壁１０の外側に、垂直壁１０を支持するように最終処分場の全周に亘って不透水性の改良土を配置して構成されている。
【００４９】
また、垂直壁支持体３０は、その外周が地上面に向かって拡大するように形成されている。具体的には、図２に示すように、垂直壁支持体３０は、外周面がテーパー面３１と水平面３２とで階段状に拡大している。
【００５０】
次に、最終処分場の建屋の周辺部に設けられた周辺部防水構造体４０について説明する。周辺部防水構造体４０は、図５に示すように、垂直壁支持体３０上に配置された基礎擁壁４１と、基礎擁壁４１よりも外周側に設けられた排水溝４２と、基礎擁壁４１の側面から排水溝４２までの領域、及び、排水溝４２の外周面を覆うように配置された周辺部防水ユニット４３と、基礎擁壁４１から排水溝４２までの領域の周辺部防水ユニット４３上に配置された周辺部砕石層４４とを備えている。
【００５１】
また、基礎擁壁４１から排水溝４２までの領域は、基礎擁壁４１から排水溝に向かって傾斜している。一方、排水溝４２よりも外周側には、ツツジ等が植栽された土壌７０が設けられている。
【００５２】
基礎擁壁４１は、逆Ｔ字型の部材であり、中央部の上方に延びる部分の外周側の側面には、溝部４１ａが形成されている。また、外周面の溝部４１ａよりも上方の領域には、撥水剤を塗布することによって、撥水加工が施されている。
【００５３】
排水溝４２は、Ｕ字型の側溝４２１と、側溝４２１の下に配置された受台４２２と、受台４２２の下に配置された基礎砕石層４２３とで構成されている。
【００５４】
側溝４２１は、側部に多孔質のコンクリートにより形成され、水を通す浸透部４２１ａを有している。
【００５５】
周辺部防水ユニット４３は、基礎擁壁４１の外周側の側面の溝部４１ａの内周面の一部を覆う第１ユニット４３１と、基礎擁壁４１から排水溝４２までの領域を覆う第２ユニット４３２と、第１ユニット４３１を固定するためのフラットバー４３３と、第１ユニット４３１及びフラットバー４３３を覆うウレタン層４３４とで形成されている。
【００５６】
第１ユニット４３１は、保護マット４３１ａ及び遮水シート４３１ｂを２セット積層して形成されている。
【００５７】
第２ユニット４３２は、２枚の保護マット４３２ａとそれらの保護マット４３２ａに挟まれるように配置することで保護された遮水シート４３２ｂとで形成されている。また、第２ユニット４３２の端部は、第１ユニット４３１の端部と接続されている。
【００５８】
フラットバー４３３は、基礎擁壁４１の溝部４１ａ内部に配置されており、第１ユニット４３１の端部を固定するとともに保護するように配置されている。
【００５９】
ウレタン層４３４は、基礎擁壁４１の溝部４１ａを埋めるようにして、第１ユニット４３１及びフラットバー４３３の表面に吹き付けられたれたウレタン４３４ａ、及び、そのウレタン４３４ａの表面に吹き付けられた不燃性の吹付材４３４ｂで形成されている。
【００６０】
周辺部砕石層４４は、砕石を敷設して形成されている。周辺部砕石層４４の基礎擁壁４１側の端部は、上面が基礎擁壁４１の溝部４１ａの形成位置よりも上に位置し、下面が溝部４１ａの形成位置よりも下に位置している。すなわち、周辺部砕石層４４は、上面が基礎擁壁４１の溝部４１ａを埋設する厚さを有している。一方、周辺部砕石層４４の排水溝４２側の端部は、上面が排水溝４２の側溝４２１の上側面とほぼ同じ高さに位置し、下面が側溝４２１の浸透部４２１ａの形成位置の上端部よりも下に位置している。
【００６１】
このように、周辺部防水構造体４０では、基礎擁壁４１の外周側の側面の溝部４１ａの内周面の一部、基礎擁壁４１から排水溝４２までの領域、及び、排水溝４２の外周面を、周辺部防水ユニット４３で覆う構成となっている。また、基礎擁壁４１から排水溝４２までの領域が、基礎擁壁４１から排水溝４２に向かって傾斜している。さらに、排水溝４２の側溝４２１の浸透部４２１ａは、水を通す多孔質のコンクリートで形成されており、その浸透部４２１ａの上端部は、周辺部砕石層４４の下面よりも上に位置している。
【００６２】
そのため、最終処分場の周辺部に降った雨水等は、周辺部防水ユニット４３で遮断され、周辺部砕石層４４の中を通り、浸透部４２１ａから排水溝４２の内部に集水され、その後、最終処分場の外部に排出される。その結果、最終処分場の周辺部に降った雨水等は、垂直壁支持体３０にすら到達せず、最終処分場の側方から内部へ浸入することもない。
【００６３】
なお、排水溝４２よりも外周側の領域に降った雨水等のうち、最終処分場側に流れた雨水等は、ツツジ等が植栽されている土壌７０の表面を流れ、最終処分場の周辺部に降った雨水等と同様に、排水溝４２を介して、最終処分場の外部に排出される。
【００６４】
また、周辺部防水構造体４０では、周辺部防水ユニット４３は、遮水シート４３１ｂ，４３２ｂとその遮水シート４３１ｂ，４３２ｂを保護する保護マット４３１ａ，４３２ａとで形成されており、その上に周辺部砕石層４４が配置されている。
【００６５】
そのため、周辺部砕石層４４によって、周辺部防水ユニット４３に加わる荷重が分散、低減されるので、周辺部防水ユニット４３に破損が生じることがない。
【００６６】
また、周辺部防水構造体４０では、周辺部防水ユニット４３の基礎擁壁４１側の端部、すなわち、第１ユニット４３１の第２ユニット４３２側との接続部とは反対側の端部は、基礎擁壁４１の側面の溝部４１ａの内部において、フラットバー４３３によって固定され、ウレタン層４３４によって被覆されている。さらに、その溝部４１ａが形成された領域は、周辺部砕石層４４によって、埋まった状態になっている。
【００６７】
そのため、周辺部防水ユニット４３の端部が基礎擁壁４１から剥がれることがないので、基礎擁壁４１と周辺部防水ユニット４３との接合部から最終処分場の内部へ雨水等が浸入することがない。
【００６８】
また、周辺部防水構造体４０では、周辺部防水構造体４０は、基礎擁壁４１の外周面の溝部４１ａよりも上方の領域には、撥水剤を塗布することにより、撥水加工が施されている。
【００６９】
そのため、基礎擁壁４１の外周面は、その撥水加工と周辺部防水ユニット４３とによって、全ての領域に防水処理が施されることになるので、基礎擁壁４１の側方から、最終処分場の内部へ雨水等が浸入することがない。
【００７０】
したがって、本実施形態の最終処分場では、このような周辺部防水構造体４０を備えた周辺部防水構造が形成されていることによって、側方から内部への雨水の浸入を確実に防止することができるようになっている。
【００７１】
次に、埋立空間の上方全体を覆う屋根部５０について説明する。屋根部５０は、図１に示すように、周辺部防水構造体４０の基礎擁壁４１の上端面に立設された複数の支持柱５１と、支持柱５１で支持され最終処分場の直上全体を覆う屋根５２とを備えている。
【００７２】
このように、屋根部５０を備えたクローズ型の最終処分場とすることで、最終処分場の直上からの雨水の浸入がなくなるので、最終処分場の内部からの保有水の漏水が、さらに確実に防止される。なお、この屋根部５０は、必ずしも設ける必要はなく、屋根部５０を設けないオープン型の最終処分場としてもよい。
【００７３】
次に、最終処分場の外部から内部への進入路６０について説明する。進入路６０は、図１に示すように、最終処分場の外部から埋立処分を行う廃棄物をトレーラやダンプトラック等で場内に搬入するための進入路であって、所定の傾斜角（例えば１０％）で垂直壁１０に沿って設けられている（場外の搬入路については図示省略する）。
【００７４】
以上、図示の実施形態について説明したが、本発明はこのような形態に限られるものではない。
【００７５】
例えば、上記実施形態においては、垂直壁防水ユニット１１や周辺部防水ユニット４３の第１ユニット４３１は、保護マット１１ａ，４３１ａ及び遮水シート１１ｂ，４３１ｂを２セット積層して形成されている。しかし、それらの防水ユニットは、保護マット及び遮水シートを、１セットだけで形成してもよいし、３セット以上積層して形成してもよい。
【００７６】
また、上記実施形態においては、第２の砕石層２３は、地盤ＧＲ側から順に、第１層２３ａと区画用防水ユニット２３ｂと第２層２３ｃとを積層して形成されている。しかし、第２の砕石層は、１つの層で形成してもよいし、３つ以上の層とそれらの間に配置された防水ユニットとで形成してもよい。
【００７７】
また、上記実施形態においては、第１の防水ユニット２２や第２の防水ユニット２４、周辺部防水ユニット４３の第２ユニット４３２は、２枚の保護マット２２ａ，４３２ａとそれらの保護マット２２ａ，４３２ａに挟まれるように配置することで保護された遮水シート２２ｂ，４３２ｂとで形成されている。しかし、それらの防水ユニットは、遮水シートを保護マットで挟み込む形状となっていれば、遮水シートや保護マットをさらに多数積層して形成してもよい。
【００７８】
また、上記実施形態においては、周辺部防水構造体４０の排水溝４２のＵ字型の側溝４２１の浸透部４２１ａは、多孔質のコンクリートによって形成されている。しかし、浸透部は、側溝の側方から雨水が浸透する構成であればよい。例えば、側壁部を通常のコンクリートで形成し、等間隔で水抜き孔を設けてもよい。
【符号の説明】
【００７９】
１０…垂直壁、１１…垂直壁防水ユニット、１１ａ…保護マット、１１ｂ…遮水シート、１２…ウレタン層、１２ａ…ウレタン、１２ｂ…吹付材、２０…底版構造体、２１…第１の砕石層、２１ａ…凸部、２２…第１の防水ユニット、２２ａ…保護マット、２２ｂ…遮水シート、２３…第２の砕石層、２３ａ…第１層、２３ｂ…区画用防水ユニット（第３の防水ユニット）、２３ｃ…第２層、２４…第２の防水ユニット、２５…保護砂層、２６…排水用集水管、２６ａ…集水桝、２７…検査用集水管、２７ａ…検水パイプ、２８ａ，２８ｂ，２８ｃ…接続部、３０…垂直壁支持体、３１…テーパー面、３２…水平面、４０…周辺部防水構造体、４１…基礎擁壁、４１ａ…溝部、４２…排水溝、４２１…側溝、４２１ａ…浸透部、４２２…受台、４２３…基礎砕石層、４３…周辺部防水ユニット、４３１…第１ユニット、４３１ａ…保護マット、４３１ｂ…遮水シート、４３２…第２ユニット、４３２ａ…保護マット、４３２ｂ…遮水シート、４３３…フラットバー、４３４…ウレタン層、４３４ａ…ウレタン、４３４ｂ…吹付材、４４…周辺部砕石層、５０…屋根部、５１…支持柱、５２…屋根、６０…進入路、７０…土壌、ＧＬ…地上面、ＧＲ…地盤。
【要約】
【課題】最終処分場の内部からの保有水の漏水及び内部への地下水の浸入を確実に防止することができる最終処分場の底版構造を提供する。
【解決手段】最終処分場の底部を閉蓋する底版構造体２０は、地盤ＧＲ側から順に、地盤ＧＲ上に設けた第１の砕石層２１と、第１の防水ユニット２２と、第２の砕石層２３と、第２の防水ユニット２４と、保護砂層２５とで構成する。第１の防水ユニット２２及び第２の防水ユニット２４は、遮水シート２２ｂと保護マット２２ａとを積層して形成する。第１の砕石層２１に、地下水を集水して排出する有孔の排水用集水管２６を設ける。第２の砕石層２３に、最終処分場の内部の水を集水する有孔の検査用集水管２７を設ける。
【選択図】図２【図１】
0005444501.tif 000002
【図２】
0005444501.tif 000003
【図３】
0005444501.tif 000004
【図４】
0005444501.tif 000005
【図５】
0005444501.tif 000006